(57)【要約】【課題】光導電体の表面の付着物を簡素な構成で除去でき、しかも、ゴーストや印字汚れなどの発生も防止できる画像形成装置を提供する。【解決手段】クリーニング部材１６は絶縁体からなる。ＣＰＵ５０は、画像の非形成時に、現像ローラ３７を光導電層１３の表面から離間させ、感光ドラム１０の回転方向に沿って第１の電位と、第１の電位よりも低い第２の電位とが交互に分布する電位パターンを光導電層１３の表面に形成する（Ｓ１００〜Ｓ１２０）。そして、現像ローラ３７を光導電層１３の表面に再度当接させ、現像ローラ３７に回収バイアスを印加し、光導電層１３に再度付着させた付着物を現像ローラ３７で回収する（Ｓ１２５，Ｓ１３０）。【選択図】図４
2007094283.tif 000002
【特許請求の範囲】
【請求項１】
外周面に光導電体を配設され、回転駆動される回転部材と、
前記光導電体の表面を帯電させる帯電手段と、
該帯電手段により帯電された前記光導電体の表面に光を照射して、該光導電体の表面を露光し、該光導電体の表面に静電潜像を形成する露光手段と、
該静電潜像に帯電性を有する現像剤を付着させ、該静電潜像を現像剤像として現像する現像手段と、
該現像剤像を記録媒体に転写して、該記録媒体に画像を形成する転写手段と
を備えた画像形成装置において、
前記光導電体の表面に当接して、当接した部位に対してのみ電気的に接続される一方、該光導電体の表面に付着した付着物を該光導電体の表面から除去する当接部材と、
第１の電位と、該第１の電位よりも低い第２の電位とが交互に分布する電位パターンを前記光導電体の表面に形成する電位パターン形成手段と、
前記当接部材から前記光導電体の表面へと付着した付着物を回収する回収手段と
を備えることを特徴とする画像形成装置。
【請求項２】
外周面に光導電体を配設され、回転駆動される回転部材と、
前記光導電体の表面を帯電させる帯電手段と、
該帯電手段により帯電された前記光導電体の表面に光を照射して、該光導電体の表面を露光し、該光導電体の表面に静電潜像を形成する露光手段と、
該静電潜像に帯電性を有する現像剤を付着させ、該静電潜像を現像剤像として現像する現像手段と、
該現像剤像を記録媒体に転写して、該記録媒体に画像を形成する転写手段と
を備えた画像形成装置において、
絶縁体からなる一方、前記光導電体の表面に当接して、該光導電体の表面に付着した付着物を該光導電体の表面から除去する当接部材と、
第１の電位と、該第１の電位よりも低い第２の電位とが交互に分布する電位パターンを前記光導電体の表面に形成する電位パターン形成手段と、
前記当接部材から前記光導電体の表面へと付着した付着物を回収する回収手段と
を備えることを特徴とする画像形成装置。
【請求項３】
前記当接部材は、
前記転写手段による転写後に前記付着物を除去するように配設されている
ことを特徴とする請求項１または請求項２記載の画像形成装置。
【請求項４】
前記電位パターン形成手段は、
前記回転部材の回転方向と交わる方向に前記第１の電位と前記第２の電位とが交互に分布する電位パターンを形成する
ことを特徴とする請求項１乃至請求項３いずれか記載の画像形成装置。
【請求項５】
前記露光手段は、
前記回転部材の回転方向と交わる方向を露光方向とし、
前記電位パターン形成手段は、
前記帯電手段を作動させたのち、前記露光手段に前記露光方向に沿って断続的な露光を行わせることで前記電位パターンを形成する
ことを特徴とする請求項４記載の画像形成装置。
【請求項６】
前記電位パターン形成手段は、
前記回転部材の回転方向に沿って前記第１の電位と前記第２の電位とが交互に分布する電位パターンを形成する
ことを特徴とする請求項１乃至請求項３いずれか記載の画像形成装置。
【請求項７】
前記露光手段は、
前記回転部材の回転方向と交わる方向を露光方向とし、
前記電位パターン形成手段は、
前記帯電手段を作動させたのち、前記露光手段に前記回転部材の回転方向に沿って断続的な露光を行わせることで前記電位パターンを形成する
ことを特徴とする請求項６記載の画像形成装置。
【請求項８】
前記転写手段は、
前記光導電体の表面に対向する転写部材と該光導電体の表面との間にて、該光導電体の表面に付着した前記現像剤を該転写部材に付着させる方向の電界を形成するための電圧である転写バイアスを前記転写部材に印加し、
前記電位パターン形成手段は、
前記転写手段を断続的に作動させることで前記電位パターンを形成する
ことを特徴とする請求項６記載の画像形成装置。
【請求項９】
前記帯電手段は、
前記光導電体の表面を一定領域毎に帯電させ、
前記電位パターン形成手段は、
前記帯電手段を断続的に作動させることで前記電位パターンを形成する
ことを特徴とする請求項６記載の画像形成装置。
【請求項１０】
前記光導電体の表面の帯電を一定領域毎に解除する解除手段
を備え、
前記電位パターン形成手段は、
前記帯電手段を作動させたのち、前記解除手段を断続的に作動させることで前記電位パターンを形成する
ことを特徴とする請求項６記載の画像形成装置。
【請求項１１】
前記現像手段は、
前記光導電体の表面に接触する現像部材と該光導電体の表面との間にて、該現像部材の表面に付着した前記現像剤を前記静電潜像に付着させる方向の電界を形成するための電圧である現像順バイアスを前記現像部材に印加し、
当該画像形成装置は、
前記電位パターン形成手段の作動時に、前記現像部材を前記光導電体の表面から離間させる離間手段
を備えることを特徴とする請求項１乃至請求項１０いずれか記載の画像形成装置。
【請求項１２】
前記現像手段は、
前記光導電体の表面に接触する現像部材と該光導電体の表面との間にて、該現像部材の表面に付着した前記現像剤を前記静電潜像に付着させる方向の電界を形成するための電圧である現像順バイアスを前記現像部材に印加し、
当該画像形成装置は、
前記電位パターン形成手段の作動時に、前記現像順バイアスに代えて、前記現像部材と前記光導電体の表面との間にて、前記現像部材の表面に付着した前記現像剤が前記光導電体の表面に付着するのを防止する方向の電界を形成するための電圧である非現像バイアスを前記現像部材に印加する非現像バイアス印加手段
を備えることを特徴とする請求項１乃至請求項１１いずれか記載の画像形成装置。
【請求項１３】
前記現像手段は、
前記回収手段を兼ね、
前記光導電体の表面に接触する現像部材と該光導電体の表面との間にて、該光導電体の表面に付着した前記現像剤を前記現像部材に付着させる方向の電界を形成するための電圧である回収バイアスを前記現像部材に印加する
ことを特徴とする請求項１乃至請求項１２いずれか記載の画像形成装置。
【請求項１４】
前記転写手段は、
前記光導電体の表面に対向する転写部材と該光導電体の表面との間にて、前記光導電体の表面に付着した付着物を該転写部材に付着させる方向の電界を形成するための電圧である転写回収バイアスを前記転写部材に印加し、
前記回収手段は、
前記電位パターン形成手段の作動時に、前記転写手段を作動させて、前記転写部材に前記転写回収バイアスを印加させる
ことを特徴とする請求項１乃至請求項１２いずれか記載の画像形成装置。
【発明の詳細な説明】
【技術分野】
【０００１】
本発明は、光導電体の表面に形成した静電潜像に現像剤を付着させて、静電潜像を現像剤像として現像し、現像剤像を記録媒体に転写して、記録媒体に画像を形成する画像形成装置に関する。
【背景技術】
【０００２】
従来より、外周面に光導電体を配設され、回転駆動されるドラムと、光導電体の表面を帯電させる帯電手段と、帯電手段により帯電された光導電体の表面に光を照射して、光導電体の表面を露光し、光導電体の表面に静電潜像を形成する露光手段と、静電潜像にトナーを付着させ、静電潜像をトナー像として現像する現像手段と、トナー像を用紙に転写して、用紙に画像を形成する転写手段とを備えた画像形成装置が知られている。
【０００３】
そして、このような画像形成装置は、一般的に、用紙に転写されずに光導電体の表面に残ってしまったトナーや、用紙から光導電体の表面に付着してしまった紙粉などを光導電体の表面から除去する除去手段を備えている。
【０００４】
例えば、その中の１つとして、光導電体に当接したクリーニング部材を除去手段として備え、クリーニング部材にバイアス電圧を印加することで光導電体の表面から付着物を除去するように構成された画像形成装置がある（特許文献１を参照）。
【０００５】
より具体的には、この画像形成装置は、画像の形成時に、クリーニング部材と光導電体の表面との間にて光導電体の表面の付着物をクリーニング部材に付着させる方向の電界を形成するためのバイアス電圧をクリーニング部材に印加することで、光導電体の表面の付着物をクリーニング部材へと付着させるように構成されている。また、この画像形成装置は、画像の非形成時に、クリーニング部材と光導電体の表面との間にて上述とは逆方向の電界を形成するためのバイアス電圧をクリーニング部材に印加することで、クリーニング部材に付着させた付着物を光導電体の表面に再度付着させ、光導電体に再度付着させた付着物を現像手段で回収するように構成されている。
【０００６】
その一方、光導電体の表面に当接したクリーニング部材にバイアス電圧を印加することなく、光導電体の表面の付着物をクリーニング部材によって掻き取る形態の画像形成装置もある。
【特許文献１】特開平８−２１１８０２号公報
【発明の開示】
【発明が解決しようとする課題】
【０００７】
ところで、特許文献１に記載の画像形成装置は、クリーニング部材にバイアス電圧を印加する手段を具備する必要があるため、構成がその分大掛かりとなり、小型化するのが困難であるという問題点があった。
【０００８】
これに対して、クリーニング部材にバイアス電圧を印加しない形態の画像形成装置は、バイアス電圧を印加する手段を具備する必要がないため、構成をその分簡素にでき、小型化が容易である。しかしながら、この画像形成装置では、掻き取った付着物がクリーニング部材に溜まるため、光導電体の表面にトナー像を転写し終えた静電潜像が残っていたり、光導電体の表面に何らかの電位変動が生じたりした場合には、クリーニング部材に溜まった付着物が光導電体の表面に再度付着してしまうことがある。そうすると、前回の画像形成時にクリーニング部材に溜まった付着物の一部が次回の画像形成時にも転写され、いわゆるゴーストや印字汚れとなる事態が発生することがあるという問題点があった。
【０００９】
そこで、本発明は、これらの問題点に鑑み、光導電体の表面の付着物を簡素な構成で除去でき、しかも、ゴーストや印字汚れなどの発生も防止できる画像形成装置を提供することを目的とする。
【課題を解決するための手段】
【００１０】
上記目的を達成するためになされた第１の発明は、外周面に光導電体を配設され、回転駆動される回転部材と、光導電体の表面を帯電させる帯電手段と、該帯電手段により帯電された光導電体の表面に光を照射して、該光導電体の表面を露光し、該光導電体の表面に静電潜像を形成する露光手段と、該静電潜像に帯電性を有する現像剤を付着させ、該静電潜像を現像剤像として現像する現像手段と、該現像剤像を記録媒体に転写して、該記録媒体に画像を形成する転写手段とを備えた画像形成装置において、光導電体の表面に当接して、当接した部位に対してのみ電気的に接続される一方、該光導電体の表面に付着した付着物を該光導電体の表面から除去する当接部材と、第１の電位と、該第１の電位よりも低い第２の電位とが交互に分布する電位パターンを光導電体の表面に形成する電位パターン形成手段と、当接部材から光導電体の表面へと付着した付着物を回収する回収手段とを備えることを特徴とする。
【００１１】
この画像形成装置では、帯電手段が、回転駆動される回転部材の外周面に配設された光導電体の表面を帯電させ、露光手段が、帯電された光導電体の表面に光を照射して、光導電体の表面を露光し、光導電体の表面に静電潜像を形成する。そして、現像手段が、帯電性を有する現像剤を静電潜像に付着させて、静電潜像を現像剤像として現像し、転写手段が、現像剤像を記録媒体に転写して、記録媒体に画像を形成する。また、その一方で、当接部材が、光導電体の表面に当接して、光導電体の表面に付着した付着物を光導電体の表面から除去する。
【００１２】
尚、当接部材は、光導電体の表面における当接した部位に対してのみ電気的に接続されているため、当接した部位の電位と同電位となるようにその電位が変動する。
ここで、電位パターン形成手段が、第１の電位と第２の電位とが交互に分布する電位パターンを光導電体の表面に形成すると、当接部材の電位は、当接部材が光導電体の第１の電位を有する部位に当接した際に、第１の電位寄りへと変動し、光導電体の第２の電位を有する部位に当接した際に、第２の電位寄りへと変動する。
【００１３】
そうすると、当接部材は、第１の電位寄りに電位が変動する部位と、第２の電位寄りに電位が変動する部位とを交互に有する結果、光導電体の表面との当接面全体が、第１の電位と第２の電位との中間の電位（中間電位）を有するようになる。
【００１４】
そして、中間電位へと電位が変動した当接部材が光導電体の第２の電位を有する部位に当接した際、及び、中間電位へと電位が変動した当接部材が光導電体の第１の電位を有する部位に当接した際には、当接部材と、光導電体の当接した部位との間に電界が形成される。
【００１５】
つまり、この画像形成装置では、当接部材に溜まった付着物を光導電体の表面へと付着させる方向の電界が形成されたときに、当接部材に溜まった付着物が光導電体の表面に付着し、光導電体の表面に付着した付着物を回収手段が回収する。
【００１６】
したがって、第１の発明によれば、当接部材にバイアス電圧を印加する手段を設けずとも、画像の非形成時に、当接部材に溜まった付着物を光導電体の表面に再度付着させ、この付着物を回収できる。
【００１７】
即ち、第１の発明によれば、光導電体の表面の付着物を簡素な構成で除去でき、しかもゴーストや印字汚れなどの発生も防止できる画像形成装置を実現できる。
尚、上述の「付着物」としては、現像剤や紙粉などが該当する（以下同様）。
【００１８】
また、電位パターンにおける第１の電位と第２の電位との分布間隔については、予め実験などを行って求めればよいが、小さく設定した方が、当接部材に溜まった付着物を光導電体の表面へと付着させる方向の電界を高い頻度で形成できるため、ゴーストや印字汚れなどの発生をより確実に防止することができる。
【００１９】
また、電位パターン形成手段は、どのタイミングで作動させてもよいが、画像の非形成時に作動させることが望ましい。
また、露光手段は、１つの光源からの光を走査することで光導電体の表面を露光するように構成されていてもよいし、複数の光源のうち、点灯すべき光源のみを点灯することで光導電体の表面を露光するように構成されていてもよい。
【００２０】
次に、第２の発明は、外周面に光導電体を配設され、回転駆動される回転部材と、光導電体の表面を帯電させる帯電手段と、該帯電手段により帯電された光導電体の表面に光を照射して、該光導電体の表面を露光し、該光導電体の表面に静電潜像を形成する露光手段と、該静電潜像に帯電性を有する現像剤を付着させ、該静電潜像を現像剤像として現像する現像手段と、該現像剤像を記録媒体に転写して、該記録媒体に画像を形成する転写手段とを備えた画像形成装置において、絶縁体からなる一方、光導電体の表面に当接して、該光導電体の表面に付着した付着物を該光導電体の表面から除去する当接部材と、第１の電位と、該第１の電位よりも低い第２の電位とが交互に分布する電位パターンを光導電体の表面に形成する電位パターン形成手段と、当接部材から光導電体の表面へと付着した付着物を回収する回収手段とを備えることを特徴とする。
【００２１】
この画像形成装置では、第１の発明と同様、帯電手段が、回転駆動される回転部材の外周面に配設された光導電体の表面を帯電させ、露光手段が、帯電された光導電体の表面に光を照射して、光導電体の表面を露光し、光導電体の表面に静電潜像を形成する。そして、現像手段が、帯電性を有する現像剤を静電潜像に付着させて、静電潜像を現像剤像として現像し、転写手段が、現像剤像を記録媒体に転写して、記録媒体に画像を形成する。また、その一方で、当接部材が、光導電体の表面に当接して、光導電体の表面に付着した付着物を光導電体の表面から除去する。
【００２２】
尚、当接部材は、絶縁体から構成されているため、当接部材における、光導電体の表面と当接する部位の電位が、光導電体の表面における当接した部位と同電位となるように変動する。
【００２３】
つまり、第２の発明でも、第１の発明と同様の作用及び効果が生じる。
したがって、第２の発明によれば、光導電体の表面の付着物を簡素な構成で除去でき、しかも、ゴーストや印字汚れなどの発生も防止できる画像形成装置を実現できる。
【００２４】
ところで、当接部材は、転写手段による転写後に付着物を除去するように配設されていることが望ましい。
このように当接部材が配設されていれば、画像形成に影響を与えることなく、転写後の付着物を除去することができる。
【００２５】
また、電位パターン形成手段は、どのような方向に電位パターンを形成してもよく、例えば、回転部材の回転方向と交わる方向に第１の電位と第２の電位とが交互に分布する電位パターンを形成してもよい。
【００２６】
尚、露光手段が回転部材の回転方向と交わる方向を露光方向としていれば、電位パターン形成手段は、帯電手段を作動させたのち、露光手段に露光方向に沿って断続的な露光を行わせることで上述のような電位パターンを形成できる。但し、ここでいう「断続的な露光」とは、露光の実行及び非実行を交互に行うことを意味するだけでなく、露光（パワー）の強弱を交互に行うことも意味する。
【００２７】
また、電位パターン形成手段は、例えば、回転部材の回転方向に沿って第１の電位と第２の電位とが交互に分布する電位パターンを形成してもよい。
ここで、電位パターン形成手段は、回転部材の回転方向に沿って第１の電位と第２の電位とが交互に分布する電位パターンをどのように形成してもよい。
【００２８】
例えば、露光手段が回転部材の回転方向と交わる方向を露光方向としていれば、電位パターン形成手段は、帯電手段を作動させたのち、露光手段に回転部材の回転方向に沿って断続的な露光を行わせることで上述のような電位パターンを形成できる。但し、ここでいう「断続的な露光」とは、露光の実行及び非実行を交互に行うことを意味するだけでなく、露光（パワー）の強弱を交互に行うことも意味する。
【００２９】
また、例えば、転写手段が、光導電体の表面に対向する転写部材と該光導電体の表面との間にて、該光導電体の表面に付着した現像剤を該転写部材に付着させる方向の電界を形成するための電圧である転写バイアスを転写部材に印加するように構成されていれば、電位パターン形成手段は、転写手段を断続的に作動させることで上述のような電位パターンを形成できる。但し、ここでいう「断続的に作動させる」とは、転写バイアスの印加及び解除を交互に行うことを意味するだけでなく、転写バイアスの増加及び減少を交互に行うことも意味する。
【００３０】
また、例えば、帯電手段が、光導電体の表面を一定領域毎に帯電させるように構成されていれば、電位パターン形成手段は、帯電手段を断続的に作動させることで上述のような電位パターンを形成できる。但し、ここでいう「断続的に作動させる」とは、帯電の実行及び非実行を交互に行うことを意味するだけでなく、帯電の度合（帯電電圧）の増加及び減少を交互に行うことも意味する。
【００３１】
また、例えば、画像形成装置が、光導電体の表面の帯電を一定領域毎に解除する解除手段を備えていれば、電位パターン形成手段は、帯電手段を作動させたのち、解除手段を断続的に作動させることで上述のような電位パターンを形成できる。但し、ここでいう「断続的に作動させる」とは、解除の実行及び非実行を交互に行うことを意味するだけでなく、解除の度合の増加及び減少を交互に行うことも意味する。
【００３２】
ところで、現像手段が、光導電体の表面に接触する現像部材と該光導電体の表面との間にて、該現像部材の表面に付着した現像剤を静電潜像に付着させる方向の電界を形成するための電圧である現像順バイアスを現像部材に印加するように構成されている場合には、画像形成装置は、電位パターン形成手段の作動時に、現像部材を光導電体の表面から離間させる離間手段を備えることが望ましい。
【００３３】
このように画像形成装置が構成されていれば、電位パターンの形成時に、現像部材から光導電体の表面に新たに現像剤が付着してしまうことを防止できる。
また、現像手段が、光導電体の表面に接触する現像部材と該光導電体の表面との間にて、該現像部材の表面に付着した現像剤を静電潜像に付着させる方向の電界を形成するための電圧である現像順バイアスを現像部材に印加するように構成されている場合には、画像形成装置は、電位パターン形成手段の作動時に、現像順バイアスに代えて、現像部材と光導電体の表面との間にて、現像部材の表面に付着した現像剤が光導電体の表面に付着するのを防止する方向の電界を形成するための電圧である非現像バイアスを現像部材に印加する非現像バイアス印加手段を備えるとよい。
【００３４】
このように画像形成装置を構成しても、電位パターンの形成時に、現像部材から光導電体の表面に新たに現像剤が付着してしまうことを防止できる。
また、現像手段が、回収手段を兼ね、光導電体の表面に接触する現像部材と該光導電体の表面との間にて、該光導電体の表面に付着した現像剤を現像部材に付着させる方向の電界を形成するための電圧である回収バイアスを現像部材に印加するように構成されているとよい。
【００３５】
このように現像手段を構成すれば、付着物を回収するための部材を別個に設ける必要がなく、画像形成装置の構成をその分簡素にできる。
尚、この場合、現像手段は、例えば、電位パターン形成手段の作動時に、現像順バイアスに代えて、現像部材と光導電体の表面との間にて、光導電体の表面に付着した現像剤を現像部材に付着させる方向の電界を形成するための電圧を回収バイアスとして現像部材に印加するように構成されていればよい。
【００３６】
また、転写手段が、光導電体の表面に対向する転写部材と該光導電体の表面との間にて、光導電体の表面に付着した付着物を該転写部材に付着させる方向の電界を形成するための電圧である転写回収バイアスを転写部材に印加するように構成されている場合には、回収手段は、電位パターン形成手段の作動時に、転写手段を作動させて、転写部材に転写回収バイアスを印加させるように構成されているとよい。
【００３７】
このように回収手段を構成すれば、転写部材と光導電体の表面との間にて、光導電体の表面に付着した付着物を転写部材に付着させる方向の電界を形成でき、転写部材を用いて付着物を回収できる。つまり、付着物を回収するための部材を別個に設ける必要がなく、画像形成装置の構成をその分簡素にできる。
【発明を実施するための最良の形態】
【００３８】
以下に本発明の実施形態を図面と共に説明する。
［第１実施形態］
まず、図１は、本発明が適用されたレーザプリンタ１の内部構造を簡略的に示す断面図である。
【００３９】
図１に示すように、レーザプリンタ１は、本体ケース２の底部に、用紙Ｐを給紙するフィーダユニット３を備える。フィーダユニット３は、用紙押圧板４と、圧縮バネ５と、給紙ローラ６とを備え、圧縮バネ５の付勢力によって用紙押圧板４に載置された用紙Ｐを、給紙ローラ６に押し当て、給紙ローラ６の回転によって最上位の用紙Ｐを分離し、本体ケース２の内部へと供給する。
【００４０】
また、本体ケース２の内部には、用紙Ｐの搬送方向（図中の矢印Ａ）における給紙ローラ６の下流側に、１対のレジストローラ７，８が回転可能に枢支されており、１対のレジストローラ７，８が、用紙Ｐを所定のタイミングで１対のレジストローラ７，８の下流側に搬送する。尚、レジストローラ７の下流側付近には、用紙Ｐを検出する給紙センサ９が配設されている。但し、給紙センサ９は、用紙Ｐを検出している間は、検出信号をＯＮし、用紙Ｐを検出していない間は、検出信号をＯＦＦするように構成されている。即ち、検出信号のＯＦＦからＯＮへの変化は、給紙センサ９が用紙Ｐの先端を検出した旨を示し、検出信号のＯＮからＯＦＦへの変化は、給紙センサ９が用紙Ｐの後端を検出した旨を示す。
【００４１】
また、１対のレジストローラ７，８の下流側には、感光ドラム１０が配設されている。尚、感光ドラム１０は、本体ケース２に枢支された回転軸１１を中心にして回転駆動されるドラム１２を本体とし、ドラム１２の外周面に、ポリカーボネートに光導電性樹脂を分散させた所定厚さの光導電層１３が形成されている。但し、回転軸１１及びドラム１２は導体（例えばアルミニウムなど）からなり、ドラム１２は、回転軸１１を介して本体ケース２に電気的に接続（つまり、ケーシングアース）されている。また、感光ドラム１０は、モータなどの駆動源からギアなどを介して駆動力を受け、矢印Ｂ方向に回転する。
【００４２】
また、感光ドラム１０の周囲には、光導電層１３の表面を一定領域毎に帯電させる帯電器１４と、帯電器１４により帯電された光導電層１３の表面に静電潜像を形成するためのレーザ光Ｌを照射するスキャナユニット２０と、スキャナユニット２０によって光導電層１３の表面に形成された静電潜像にトナーを付着させ、静電潜像をトナー像として現像する現像器３０と、光導電層１３の表面に形成されたトナー像を用紙Ｐに転写する転写ローラ１５と、用紙Ｐに転写されずに光導電層１３の表面に残ってしまったトナーや用紙Ｐから光導電層１３の表面に付着した紙粉などの付着物を光導電層１３の表面から掻き取るクリーニング部材１６とが設けられている。
【００４３】
尚、帯電器１４は、例えば、タングステンなどからなる帯電用ワイヤからコロナ放電を発生させる正帯電用のスコロトロン型の帯電器から構成されており、感光ドラム１０の上方付近に、光導電層１３の表面と対向するように配設されている。
【００４４】
また、スキャナユニット２０は、光導電層１３の表面に静電潜像を形成するためのレーザ光Ｌを発生するレーザ発生器（図示せず）、回転駆動されるポリゴンミラー２１、レンズ２２，２３、反射ミラー２４，２５などを備え、帯電器１４より感光ドラム１０の回転方向下流側の露光位置で、光導電層１３の表面にレーザ光Ｌを照射して光導電層１３の表面を露光し、光導電層１３の表面に静電潜像を形成する。より具体的には、スキャナユニット２０は、感光ドラム１０の回転軸１１に沿った方向にレーザ光Ｌを走査するように構成されており、回転軸１１に沿った方向に順次露光を行う（つまり、回転軸１１に沿った方向が露光方向となっている）。
【００４５】
また、現像器３０は、上記露光位置より感光ドラム１０の回転方向下流側で光導電層１３の表面に外周面が当接された現像ローラ３７を備える。
より具体的には、現像器３０は、本体３１内にトナー収容室３２が形成され、トナー収容室３２内に、アジテータ３３と、正帯電性のトナー３４（具体的には重合トナー）とが収容されている。そして、トナー収容室３２の隣に現像室３５が形成され、この現像室３５内に、互いに当接した供給ローラ３６と上記現像ローラ３７とが回転可能に枢支されている。つまり、現像器３０では、トナー収容室３２内のトナー３４が、アジテータ３３の回転により攪拌されて現像室３５内へと供給され、供給ローラ３６と現像ローラ３７との間で正に摩擦帯電され、静電潜像に付着する。但し、現像ローラ３７には、層厚規制ブレード３８が当接され、当該現像ローラ３７の外周面に付着したトナー３４は、層厚規制ブレード３８により所定の層厚に規制され、現像に供される。また、現像ローラ３７は、感光ドラム１０から離間可能に枢支されている（図２参照）。
【００４６】
尚、供給ローラ３６は、金属製の軸材に、導電性の発泡材料からなるローラを被覆して構成されている。
また、現像ローラ３７は、カーボン微粒子などを含む導電性のウレタンゴムやシリコンゴムなどからなるローラ本体の外周面に、フッ素含有のウレタンゴムやシリコンゴムなどからなるコート層を被覆して構成にされている。
【００４７】
また、層厚規制ブレード３８は、ステンレス鋼等の板からなる板ばねの端部に、シリコンゴム等のゴム部材からなる当接部を設けたもので、板ばねの弾性力により、当接部が現像ローラ３７に押圧される。
【００４８】
また、転写ローラ１５は、現像ローラ３７より感光ドラム１０の回転方向下流側（感光ドラム１０の下方）で、光導電層１３の表面に当接した状態で本体ケース２に回転可能に枢支されており、光導電層１３との当接面を介して感光ドラム１０から駆動力を受け、感光ドラム１０に対しわずかに速度差をもって回転する。そして、１対のレジストローラ７，８から搬送されてくる用紙Ｐを、感光ドラム１０との間に引き込んで、感光ドラム１０の下流側に搬送する。
【００４９】
尚、転写ローラ１５は、軸材の周囲にイオン導電性を有する断面円状の発泡弾性体（ポリウレタン等）を覆設して構成されており、発泡弾性体の外周面が光導電層１３の表面に当接されている。但し、発泡弾性体は、過塩素酸リチウム、過塩素酸ナトリウム、過塩素酸カルシウム等の無機イオン物質、陽イオン性界面活性剤、両性イオン性界面活性剤、過塩素酸テトラエチルアンモニウム等の有機イオン物質よりなるイオン導電剤を混合して所定の電気抵抗値に調整した高分子発泡体から構成されている。
【００５０】
また、クリーニング部材１６は、転写ローラ１５より感光ドラム１０の回転方向下流側の除去位置に配設され、光導電層１３の表面に当接されている。より具体的には、クリーニング部材１６は、回転軸１１に沿った光導電層１３の両端部間に亘って光導電層１３の表面に当接されている。
【００５１】
尚、クリーニング部材１６は、絶縁性の発泡材料（例えば、ウレタンなど）から構成されている。
また、感光ドラム１０の下流側には、トナー像を用紙Ｐに定着させるための定着ユニット４０と、用紙搬送用の一対の搬送ローラ４３及び排紙ローラ４４と、排紙トレイ４５とが順番に配設されている。
【００５２】
尚、定着ユニット４０は、加熱用ローラ４１と押圧ローラ４２とを備え、用紙Ｐに転写されたトナー像を加熱用ローラ４１にて加熱しつつ、各ローラ４１、４２間で押圧することによりトナー像を用紙Ｐに熱定着させる。
【００５３】
続いて、レーザプリンタ１の制御系統について説明する。
ここで、図３は、レーザプリンタ１における制御系統の構成ブロック図である。
図３に示すように、レーザプリンタ１は、当該レーザプリンタ１の制御を統括するＣＰＵ５０を備え、ＣＰＵ５０には、ＣＰＵ５０が実行する各種処理のプログラムや、各種処理に用いるパラメータなどを記憶するＲＯＭ５１と、ＣＰＵ５０が各種処理を実行する際に記憶領域として用いるＲＡＭ５２とが接続されている。尚、ＣＰＵ５０は、複数の処理を時分割で並列に実行する。
【００５４】
更に、ＣＰＵ５０には、Ｉ／Ｏインターフェイス５３を介して、上記給紙センサ９と、レーザ発光制御部５４と、帯電バイアス制御部５５と、現像バイアス制御部５６と、転写バイアス制御部５７と、離間制御部５８と、定着温度制御部５９と、メインモータ駆動制御部６０と、給紙機構制御部６１とが接続されている。
【００５５】
尚、レーザ発光制御部５４は、ＣＰＵ５０からの指令に応じて、スキャナユニット２０におけるレーザ発生器の作動やポリゴンミラー２１の回転を制御する。
また、帯電バイアス制御部５５は、ＣＰＵ５０からの指令に応じて、帯電器１４をＯＮ／ＯＦＦする。より具体的には、ＣＰＵ５０からの指令に応じて、光導電層１３を帯電させるための電圧である帯電バイアス（例えば＋５ｋＶ〜＋７ｋＶ）を帯電器１４における帯電用ワイヤに印加して帯電器１４をＯＮし、帯電バイアスを解除して帯電器１４をＯＦＦする。尚、帯電ワイヤに帯電バイアスが印加されると、グリッド電極によって、光導電層１３が一定の電位（例えば＋８００Ｖ）に帯電される。
【００５６】
また、現像バイアス制御部５６は、ＣＰＵ５０からの指令に応じて、現像ローラ３７に印加する電圧を制御する。より具体的には、ＣＰＵ５０からの指令に応じて、現像ローラ３７の外周面と光導電層１３の表面との間にて、現像ローラ３７の外周面に付着したトナー３４を静電潜像に付着させる方向の電界を形成するための電圧である現像順バイアス（例えば＋４００Ｖ）を現像ローラ３７に印加する。また、ＣＰＵ５０からの指令に応じて、現像ローラ３７の外周面と光導電層１３の表面との間にて、光導電層１３の表面に付着したトナー３４を光導電層１３の表面から現像ローラ３７の外周面に付着させる方向の電界を形成するための電圧である回収バイアス（例えば−３００Ｖ）を現像ローラ３７に印加する。
【００５７】
また、転写バイアス制御部５７は、ＣＰＵ５０からの指令に応じて、転写ローラ１５に印加する電圧を制御する。より具体的には、ＣＰＵ５０からの指令に応じて、転写ローラ１５の外周面と光導電層１３の表面との間にて、静電潜像に付着したトナー３４を転写ローラ１５の外周面に付着させる方向の電界を形成するための電圧である転写バイアス（例えば定電圧制御の場合には−１ｋＶ、定電流制御の場合には−１５μＡ）を転写ローラ１５に印加する。
【００５８】
また、離間制御部５８は、ＣＰＵ５０からの指令に応じて、現像ローラ３７を光導電層１３の表面から離間させる離間機構６２を制御する。
また、定着温度制御部５９は、ＣＰＵ５０からの指令に応じて、加熱用ローラ４１の温度を制御する。より具体的には、ＣＰＵ５０からの指令に応じて、加熱用ローラ４１の熱源であるハロゲンランプに印加する電圧を制御する。
【００５９】
また、メインモータ駆動制御部６０は、ＣＰＵ５０からの指令に応じて、当該レーザプリンタ１において回転駆動される各種部材（例えば、感光ドラム１０や加熱用ローラ４１等）の駆動源であるメインモータ６３を駆動制御する。
【００６０】
また、給紙機構制御部６１は、ＣＰＵ５０からの指令に応じて、給紙ローラ６等の給紙機構を制御する。
以下、ＣＰＵ５０が実行する各種処理のうち、本発明に係る第１回収処理について説明する。尚、ＣＰＵ５０は、周知の画像形成処理に続いて第１回収処理を実行する。つまり、ＣＰＵ５０は、第１回収処理の実行前に感光ドラム１０を回転駆動し、第１回収処理においても感光ドラム１０の回転を維持する。
【００６１】
ここで、図４は、第１回収処理の流れを示すフローチャートである。
図４に示すように、本処理では、まず、給紙センサ９が用紙Ｐの後端を検出するまで待機したのち（Ｓ１００：Ｎｏ）、給紙センサ９が用紙Ｐの後端を検出すると（Ｓ１００：Ｙｅｓ）、この用紙Ｐへのトナー像の転写が少なくとも終了するまでの所定時間が経過するまで待機する（Ｓ１０５：Ｎｏ）。
【００６２】
そして、所定時間が経過すると（Ｓ１０５：Ｙｅｓ）、離間制御部５８に現像ローラ３７の離間を指令して、現像ローラ３７を光導電層１３の表面から離間させる（Ｓ１１０）。
【００６３】
続いて、感光ドラム１０の回転方向に沿って第１の電位と、第１の電位よりも低い第２の電位とが交互に分布する電位パターンを光導電層１３の表面に形成する（Ｓ１２０）。尚、この際、ＣＰＵ５０は、帯電バイアス制御部５５に帯電器１４の作動を指令したのち、レーザ発光制御部５４に感光ドラム１０の回転方向に沿った断続的な露光を行う（露光の実行及び非実行を交互に行う）ように指令する。これにより、光導電層１３の表面には、感光ドラム１０の回転方向に沿って、帯電器１４によって帯電された部位（＋８００Ｖ）と、露光によって電位が低下した（例えば＋１５０Ｖにまで低下）部位とが交互に分布する。そして、感光ドラム１０の１回転に亘って電位パターンの形成が完了すると、レーザ発光制御部５４に露光の終了を指令する。
【００６４】
そして、少なくとも電位パターンが現像ローラ３７との対向箇所を通過するのに要する所定時間が経過したのち、現像ローラ３７を光導電層１３の表面に再度当接させるように離間制御部５８に指令して、現像ローラ３７を光導電層１３の表面に再度当接させると共に（Ｓ１２５）、現像バイアス制御部５６に現像ローラ３７への回収バイアスの印加を指令して、現像ローラ３７に回収バイアスを印加する（Ｓ１３０）。
【００６５】
回収が終了すると、現像バイアス制御部５６に回収バイアスの解除を指令して、現像ローラ３７に印加した回収バイアスを解除したのち（Ｓ１４０）、上述のＳ１００へ再度移行する。
【００６６】
以上に述べたように、本実施形態のレーザプリンタ１では、クリーニング部材１６は、絶縁体からなっているため、クリーニング部材１６における、光導電層１３の表面と当接する部位の電位が、光導電層１３の表面における当接した部位と同電位となるように変動する。
【００６７】
そして、用紙Ｐへの画像の非形成時に、第１の電位と第２の電位とが交互に分布する電位パターンを光導電層１３の表面に形成すると、クリーニング部材１６における、光導電層１３の表面と当接する部位の電位は、光導電層１３における第１の電位を有する部位に当接した際に、第１の電位寄りへと変動し、光導電層１３における第２の電位を有する部位に当接した際に、第２の電位寄りへと変動する。
【００６８】
そうすると、クリーニング部材１６は、第１の電位寄りに変動する部位と、第２の電位寄りに変動する部位とを交互に有する結果、図５に示すように、光導電層１３との当接面全体が第１の電位と第２の電位との中間の電位（中間電位）を有するようになる。
【００６９】
ここで、中間電位を有する当接面が光導電層１３の表面における第２の電位を有する部位に当接し、当接面と光導電層１３の表面との間に、クリーニング部材１６に溜まった付着物（主として、正に帯電したトナー３４）を光導電層１３の表面へと付着させる方向の電界が形成されると（図５における斜線部分）、クリーニング部材１６に溜まった付着物がクリーニング部材１６から吐き出され、光導電層１３の表面に付着する。
【００７０】
そして、光導電体の表面に付着した付着物を回収バイアスを印加した現像ローラ３７で回収する。尚、図５は、電位パターン及びクリーニング部材１６における当接面の電位の概要を示す説明図である。
【００７１】
したがって、本第１実施形態のレーザプリンタ１では、クリーニング部材１６にバイアス電圧を印加する手段を設けずとも、画像の非形成時に、クリーニング部材１６に溜まった付着物を光導電層１３の表面に再度付着させ、この付着物を回収できる。
【００７２】
即ち、本第１実施形態のレーザプリンタ１によれば、光導電体の表面の付着物を簡素な構成で除去でき、しかもゴーストや印字汚れなどの発生も防止できる。
また、本第１実施形態におけるレーザプリンタ１は、現像ローラ３７を用いて付着物を回収するため、付着物を回収するための部材を別個に設ける必要がなく、当該レーザプリンタ１の構成をその分簡素にできる。
【００７３】
また、本第１実施形態におけるレーザプリンタ１は、電位パターンの形成時に現像ローラ３７を光導電層１３の表面から離間させるため、画像の非形成時であるにも関わらず、現像ローラ３７から光導電層１３の表面に新たにトナー３４が付着してしまうことを防止できる。
【００７４】
ところで、本第１実施形態では、回収バイアスを−３００Ｖに設定したが、付着物を回収できるのであれば回収バイアスをどのように設定してもよく（つまり、光導電層１３の帯電電圧（＋８００Ｖ）よりも低い電圧）、例えば０Ｖに設定してもよい（つまり、転写ローラ１５に電圧を積極的に印加せずに付着物を回収してもよい）。
【００７５】
また、本第１実施形態では、露光の実行及び非実行を交互に行うことにより、電位パターンを形成したが、露光（パワー）の強弱を交互に行うことにより電位パターンを形成してもよい。
【００７６】
尚、本第１実施形態では、光導電層１３が本発明における光導電体に相当し、ドラム１２が本発明における回転部材に相当し、帯電器１４及び帯電バイアス制御部５５が本発明における帯電手段に相当し、スキャナユニット２０及びレーザ発光制御部５４が本発明における露光手段に相当する。
【００７７】
また、本第１実施形態では、現像器３０及び現像バイアス制御部５６が本発明における現像手段に相当し、現像ローラ３７が本発明における現像部材に相当し、転写バイアス制御部５７が本発明における転写手段に相当し、転写ローラ１５が本発明における転写部材に相当し、離間制御部５８と離間機構６２とＣＰＵ５０が実行する第１回収処理のＳ１１０が本発明における離間手段に相当する。
【００７８】
また、本第１実施形態では、クリーニング部材１６が本発明における当接部材に相当し、ＣＰＵ５０が実行する第１回収処理のＳ１２０が本発明における電位パターン形成手段に相当し、現像バイアス制御部５６及びＣＰＵ５０が実行する第１回収処理のＳ１３０が本発明における回収手段（請求項１３）に相当する。
［第２実施形態］
次に、第２実施形態について説明する。
【００７９】
尚、本第２実施形態のレーザプリンタ１は、ＣＰＵ５０が、第１回収処理に代えて第２回収処理を実行する点が第１実施形態と異なるだけでその他については第１実施形態と全く同様である。つまり、本第２実施形態においては、転写ローラ１５に転写回収バイアスを印加して付着物を回収する。但し、本第２実施形態では、転写回収バイアスは、転写バイアスと同じ値に設定されている。
【００８０】
したがって、ここでは、第２回収処理の流れについてのみ説明する。
ここで、図６は、第２回収処理の流れを示すフローチャートである。
図６に示すように、本処理では、まず、第１回収処理のＳ１００〜Ｓ１２０と同様の処理を実行したのち（Ｓ２００〜Ｓ２２０）、転写バイアス制御部５７に転写ローラ１５への転写回収バイアスの印加を指令して、転写ローラ１５に転写回収バイアスを印加する（Ｓ２２５）。
【００８１】
そして、回収が終了すると、転写バイアス制御部５７に転写回収バイアスの解除を指令して、転写ローラ１５に印加した転写回収バイアスを解除する（Ｓ２３５）。
続いて、第１回収処理のＳ１２５と同様に、現像ローラ３７を光導電層１３の表面に再度当接させ（Ｓ２４０）、上述のＳ２００へ再度移行する。
【００８２】
つまり、本第２実施形態のレーザプリンタ１では、クリーニング部材１６から光導電層１３の表面に再度付着させた付着物を転写ローラ１５で回収するため、付着物を回収するための部材を新たに設けずとも、付着物を回収できる。
【００８３】
ところで、本第２実施形態では、転写ローラ１５に転写回収バイアスとしてマイナスの電圧を印加したが、トナー３４ではなく紙粉を回収するのであれば、プラスの電圧を印加するとよい。
【００８４】
尚、本第２実施形態では、転写バイアス制御部５７及びＣＰＵ５０が実行する第２回収処理のＳ２２５が本発明における回収手段（請求項１４）に相当する。
［第３実施形態］
次に、第３実施形態について説明する。尚、本第３実施形態のレーザプリンタ１は、ＣＰＵ５０が、第１回収処理に代えて第３回収処理を実行する点と、現像バイアス制御部５６が回収バイアスと同様の非現像バイアス（例えば−３００Ｖ）を現像ローラ３７に印加できるように構成されている点とが第１実施形態と異なるだけでその他については第１実施形態と全く同様である。
【００８５】
したがって、ここでは、第３回収処理の流れについてのみ説明する。
ここで、図７は、第３回収処理の流れを示すフローチャートである。
図７に示すように、本処理では、まず、第１回収処理のＳ１００，Ｓ１０５と同様の処理を実行したのち（Ｓ３００，Ｓ３０５）、現像バイアス制御部５６に現像ローラ３７への非現像バイアスの印加を指令して、現像ローラ３７に非現像バイアスを印加する（Ｓ３１０）。
【００８６】
続いて、第１回収処理のＳ１２０と同様に、光導電層１３の表面に電位パターンを形成する（Ｓ３２０）。
そして、回収が終了すると、現像バイアス制御部５６に非現像バイアスの解除を指令して、現像ローラ３７に印加した非現像バイアスを解除して（Ｓ３３０）、上述のＳ３００へ再度移行する。
【００８７】
つまり、本第３実施形態のレーザプリンタ１では、電位パターンの形成時に、現像ローラ３７に非現像バイアスを印加するため、現像ローラ３７を離間させずとも、現像ローラ３７の外周面に付着したトナー３４が光導電層１３の表面に付着してしまうことを防止できる。
【００８８】
また、電位パターンの形成時に現像ローラ３７に−３００Ｖの非現像バイアスを印加するため、電位パターンを形成しながら現像ローラ３７で光導電層１３の表面に再度付着した付着物を回収できる。つまり、第１回収処理のように現像ローラ３７の離間を必要としないため、付着物の回収を第１回収処理よりも効率的に完了することができる。
【００８９】
したがって、本第３実施形態のレーザプリンタ１は、構成が簡素になる上、次回の画像の形成に即座に着手できるため、複数の用紙Ｐに連続して画像を形成するのに好適である。
【００９０】
ところで、本第３実施形態では、非現像バイアスを−３００Ｖに設定したが、電位パターンの形成時にトナー３４が光導電層１３の表面に付着してしまうのを防止できるのであれば非現像バイアスをどのように設定してもよく（つまり、第２の電位（＋１５０Ｖ）よりも低い電圧）、例えば０Ｖに設定してもよい（つまり、現像ローラ３７に電圧を積極的に印加しなくてもよい）。
【００９１】
尚、本第３実施形態では、現像バイアス制御部５６とＣＰＵ５０が実行する第３回収処理のＳ３１０とが本発明における非現像バイアス印加手段に相当する。
以上、本発明の実施の形態について説明したが、本発明は、上記実施形態に何ら限定されることはなく、本発明の技術的範囲に属する限り種々の形態をとり得ることはいうまでもない。
【００９２】
例えば、上記実施形態では、ＣＰＵ５０は、帯電器１４を作動させて、光導電層１３の表面を断続的に露光することで電位パターンを形成したが、帯電器１４を断続的に作動させて電位パターンを形成してもよい。この場合、帯電の実行及び非実行（つまり、帯電器１４のＯＮ／ＯＦＦ）を交互に行ってもよいし、帯電バイアスを変化させて、帯電の度合（帯電電圧）の増加及び減少を交互に行ってもよい。
【００９３】
また、転写ローラ１５への転写バイアスの印加及び解除を交互に行って電位パターンを形成してもよいし、転写バイアスの増加及び減少を交互に行って電位パターンを形成してもよい。
【００９４】
また、図８に示すように、上記実施形態のレーザプリンタ１は、クリーニング部材１６より感光ドラム１０の回転方向上流側に、帯電された光導電層１３の表面を一定領域毎に露光して帯電を解除するイレーザランプ１７を備えてもよい。
【００９５】
そして、この場合、ＣＰＵ５０は、帯電器１４を作動させたのち、イレーザランプ１７を断続的に作動させて電位パターンを形成してもよい。この場合、解除の実行及び非実行（つまり、イレーザ１７のＯＮ／ＯＦＦ）を交互に行ってもよいし、解除の度合の増加及び減少を交互に行ってもよい。尚、イレーザランプ１７が本発明における解除手段に相当する。また、図８は、感光ドラム１０の周囲にイレーザランプ１７を配設した様子を示す説明図である。
【００９６】
また、上記実施形態では、ＣＰＵ５０は、感光ドラム１０の回転方向に沿って第１の電位と第２の電位とが交互に分布する電位パターンを形成したが、図９に示すように、感光ドラム１０の回転軸１１に沿って第１の電位と第２の電位とが交互に分布する電位パターンを形成してもよい。この場合、ＣＰＵ５０は、帯電バイアス制御部５５に帯電器１４の作動を指令したのち、レーザ発光制御部５４に露光方向に沿って断続的な露光を行うように指令すればよい。尚、図９は、感光ドラム１０の回転軸１１に沿って第１の電位と第２の電位とが交互に分布する電位パターンの形成方法の概要を示す説明図である。
【００９７】
また、上記実施形態では、感光ドラム１０の回転方向に沿って第１の電位と第２の電位とが交互に分布する電位パターンを形成したが、露光方向に沿って断続的な露光を行えば、市松模様のように第１の電位と第２の電位とが交互に分布する電位パターンを形成できる。
【００９８】
また、上記実施形態では、本発明をモノクロ印刷を行うレーザプリンタに適用していたが、カラー印刷を行うレーザプリンタに適用しても勿論よい。
例えば、図１０に示すように、本発明をタンデム方式のレーザプリンタに適用する場合には、各色毎のトナー像が形成される感光ドラム７０の光導電層の表面にそれぞれ、クリーニング部材７１を当接させ、各感光ドラム７０の光導電層の表面に電位パターンを形成すればよい。この場合、光導電層の表面に再度付着させた付着物を現像ローラ７２で回収してもよいし、転写ベルト７３で回収してもよい。尚、図１０は、タンデム方式のレーザプリンタの一例を示す説明図である。
【００９９】
また、上記実施形態（第１実施形態）では、転写ローラ１５は、光導電層１３の表面に当接していたが、光導電層１３の表面に非接触な状態で対向するように配設されていてもよい。
【０１００】
また、上記実施形態では、光導電層１３は、ドラム１２の外周面上に形成されていたが、無端ベルト状の部材の外周面に形成されていてもよい。
また、上記実施形態では、クリーニング部材１６は絶縁性の発泡材料から構成されていたが、導体から構成されていてもよいし、導体を含有した絶縁性の発泡材料から構成されていてもよい。尚、クリーニング部材１６を導体、もしくは導体を含有した絶縁性の発泡材料から構成する場合には、光導電層１３の表面以外と電気的に接続しないように（つまり、電気的にフローティングとなるように）、絶縁体を用いて本体ケース２に固定するとよい。
【０１０１】
また、上記実施形態では、レーザプリンタ１は、クリーニング部材１６に代えて、ローラ状のクリーニング部材を備え、このクリーニング部材を感光ドラム１０と逆方向に回転させることで、光導電層１３の表面から付着物を掻き取るように構成されていてもよい。
【０１０２】
また、上記実施形態では、レーザ光を走査して光導電層の表面を露光するレーザプリンタに本発明を適用したが、感光ドラムの回転軸に沿って並設された複数のＬＥＤによって光導電層の表面を露光する、いわゆるＬＥＤプリンタに本発明を適用しても勿論よい。また、コピー装置や複合機などの他の形態の画像形成装置に本発明を適用しても勿論よい。
【０１０３】
また、上記実施形態では、正帯電のトナーを用いるレーザプリンタに本発明を適用したが、負帯電のトナーを用いるレーザプリンタに本発明を適用しても勿論よい。
【図面の簡単な説明】
【０１０４】
【図１】本発明が適用されたレーザプリンタ１の内部構造を簡略的に示す断面図である。
【図２】現像ローラ３７の離間を示す説明図である。
【図３】レーザプリンタ１における制御系統の構成ブロック図である。
【図４】ＣＰＵ５０が実行する第１回収処理の流れを示すフローチャートである。
【図５】電位パターン及びクリーニング部材１６における当接面の電位の概要を示す説明図である。
【図６】ＣＰＵ５０が実行する第２回収処理の流れを示すフローチャートである。
【図７】ＣＰＵ５０が実行する第３回収処理の流れを示すフローチャートである。
【図８】感光ドラム１０の周囲にイレーザランプ１７を配設した様子を示す説明図である。
【図９】感光ドラム１０の回転軸１１に沿って第１の電位と第２の電位とが交互に分布する電位パターンの形成方法の概要を示す説明図である。
【図１０】タンデム方式のレーザプリンタの一例を示す説明図である。
【符号の説明】
【０１０５】
１…レーザプリンタ、２…本体ケース、３…フィーダユニット、４…用紙押圧板、５…圧縮バネ、６…給紙ローラ、７，８…レジストローラ、９…給紙センサ、１０，７０…感光ドラム、１１…回転軸、１２…ドラム、１３…光導電層、１４…帯電器、１５…転写ローラ、１６，７１…クリーニング部材、１７…イレーザランプ、２０…スキャナユニット、２１…ポリゴンミラー、２２，２３…レンズ、２４，２５…反射ミラー、３０…現像器、３１…本体、３２…トナー収容室、３３…アジテータ、３４…トナー、３５…現像室、３６…供給ローラ、３７，７２…現像ローラ、３８…層厚規制ブレード、４０…定着ユニット、４１…加熱用ローラ、４２…押圧ローラ、４３…搬送ローラ、４４…排紙ローラ、４５…排紙トレイ、５０…ＣＰＵ、５１…ＲＯＭ、５２…ＲＡＭ、５３…Ｉ／Ｏインターフェイス、５４…レーザ発光制御部、５５…帯電バイアス制御部、５６…現像バイアス制御部、５７…転写バイアス制御部、５８…離間制御部、５９…定着温度制御部、６０…メインモータ駆動制御部、６１…給紙機構制御部、６２…離間機構、６３…メインモータ、７３…転写ベルト。
【図１】
2007094283.tif 000003
【図２】
2007094283.tif 000004
【図３】
2007094283.tif 000005
【図４】
2007094283.tif 000006
【図５】
2007094283.tif 000007
【図６】
2007094283.tif 000008
【図７】
2007094283.tif 000009
【図８】
2007094283.tif 000010
【図９】
2007094283.tif 000011
【図１０】
2007094283.tif 000012